(57)【要約】【課題】手持ち式高圧水噴射ガンの作業後の噴射水や飛散物を効率よく回収することができる。【解決手段】高圧水噴射ガン１の先端にカバー３を装着し、このカバー内部に圧縮空気を吹き込むと共に、吸引口５から空気を吸引して、この吸引空気に随伴して、作業より発生する、カバー３内の飛散物や噴射水を回収する。【選択図】　　　図１
2004114023.tif 000002
【特許請求の範囲】
【請求項１】
筒状のカバー（３）の内部に空気を供給するための空気供給口（４）と内部を吸引減圧するための吸引口（５）を少なくとも一個設けた構造とし、高圧水噴射ガン（１）の先端に取り付けて利用する噴射水回収装置。
【請求項２】
前記供給口に圧縮空気またはエアーモーター駆動後の排出空気を利用することを特徴とする請求項１記載の噴射水回収装置。
【請求項３】
前記供給口と吸引口は供給、吸引空気量を調整するための、調整弁を持つことを特徴とする請求項１記載の噴射水回収装置。
【請求項４】
前記カバーは、その一部を柔軟な構造とする請求項１記載の噴射水回収装置。
【請求項５】
前記保護カバーの先端の部分には緩衝材又はシール材を設ける構造とする請求項１記載の噴射水回収装置。
【発明の詳細な説明】
【０００１】
【発明の属する技術分野】
本発明は超高圧水を利用してコンクリート構造物表面の劣化部除去並びに付着物や金属の塗装面の塗料を取り除くための手持ち式高圧水噴射ガンの噴射水回収装置に関するものである。
【０００２】
【従来の技術】
従来、コンクリート構造物の劣化部除去や金属の表面の塗料や付着物を取り除く場合、高圧水を利用した除去方法が行われている。この高圧水を使用した方法では、噴射ガンをむき出しのまま使用するかまたは噴射ガンの先端に噴射ガンの先端保護カバーを取り付けた構造のものが使用されている。
【０００３】
【発明が解決しようとする課題】
従来の高圧水によるコンクリート構造物の劣化部除去や金属の表面の塗料や付着物を取り除く方法では、高圧水噴射ガンを直接対象物に向けて作業をする。この場合、ガンから噴射された高圧水や除去された塗料やコンクリート粉は飛散して周囲を汚したり、また、むき出しのままのノズルから噴射される高圧水により、大きな音が発生するという問題点があった。
【０００４】
本発明は、噴射ノズルの先端に筒状のカバーを設け、このカバーを自在に動く構造とし、このカバーの内部に圧縮空気を吹き込むと共にカバー内を吸引減圧する事により、吸い込まれた空気の流れに随伴して噴射水や除去飛散物を吸引して回収しようとするものである。そして、吹き込み空気量と吸引空気量をバランスさせる事により、対象物に対し吸着すること無く、常に密着してこのカバーを当てることができることにより、効率よく作業が行えると共に安全に噴射水や除去物を回収するための高圧水噴射ガンの噴射水回収装置を提供することを目的としている。
【０００５】
【議題を解決するための手段】
上記目的を達成するために、筒状のカバーの内部に空気を供給するための供給口と内部を吸引減圧するための吸引口を少なくとも一個設けた構造とし、高圧水噴射ガンの先端に取り付けて利用する。
【０００６】
供給口に圧縮空気またはエアーモーター駆動後の排出空気を利用することとする。
【０００７】
供給口と吸引口は供給、吸引空気量を調整するための、調整弁を持つこととする。
【０００８】
カバーは、その一部を柔軟な構造とする。
【０００９】
保護カバーの先端の部分には緩衝材又はシール材を設ける構造とする。
【発明の実施の形態】
発明の実施の形態を実施例にもとづき図面を参照して説明する。
図１において示される実施例において、手持ち式高圧水噴射ガンに本発明の噴射水回収装置を装着した状態を示す。高圧水噴射ガン１のケーシングの先端に本装置を固定するための固定具２を取り付けて、この固定具２にカバー３を装着した状態である。カバー３にはカバー３内部に空気を供給するための空気供給口４と内部を吸引減圧するための吸引口５が設けてあり、空気供給口４には圧縮空気ホース１２が接続されている。また、吸引口５の先端には吸引ホース６が取り付けてあり、吸引装置Ａに接続されている。
【００１０】
また、高圧水噴射ガン１の高圧水取り入れ口７に取り付けられた高圧ホース８は高圧水発生装置Ｂに接続されている。エアーモーター駆動用及びカバー供給用の圧縮空気は圧縮空気発生装置Ｃからエアホースでヘッダー１１に入れ、ヘッダー１１でカバー用とエアモーター駆動用に分岐され、それぞれ空気供給口４と圧縮空気取り入れ口９に接続されている。
【００１１】
図２において示される実施例では、本装置および高圧水噴射ガンへの取り付け部の詳細に付いて示す。高圧水噴射ガン１は先端にノズルチップ１３取り付けたノズルヘッド１４、ノズルヘッド１４を取り付けたシャフト１５とこれらの部分を回転させる駆動部およびケーシング等から構成されている。そして、本発明の噴射水回収装置はこのケーシングの先端に取付けてある固定具２にボルト、ナットで固定する構造になっている。
【００１２】
尚、ノズルチップ１３はノズルヘッド１４に少なくとも一個付けてあり、ノズルヘッ１４ドを取り付けたシャフト１５は空気圧で回転するエアモーターに連結してある。シャフト１５は中空で内部を高圧水が流れ、ノズルヘッド１４に取付けてあるノズルチップ１３から高圧水を噴射する構造になっている。
【００１３】
そして、本装置の噴射ガン１への取り付けは、本装置のカバー３を高圧水噴射ガン１のケーシングにボルト、ナットで固定してある固定具２に取り付けるようになっており、この際、ノズルチップ１３を取付けたノズルヘッド１４が作業中に対象物に接触して損傷しないように、ノズルヘッド１４を保護する必要がある。そのため、カバー３はノズルヘッド１４の先端より、約１ｃｍ前に出るように取付けられている。
【００１４】
そして、カバー３には、噴射水を吸引して回収するための空気の吸引口５があり、吸引口５には先端には吸引ホース６が取り付けられるようになっている。また、カバー３の圧縮空気供給口４には圧縮空気ホース１２が取り付けてある。圧縮空気ホース１２はエアーモーター用のエアーホースからヘッダー１１で分岐したエアー供給ホース１２が゛接続されている。
【００１５】
そして、カバー３は、その一部に柔軟構造部１９を有しており、カバー３が対象物に様々な角度で当たっても常に密着した状態で自在に動ける構造となっている。そして、吸引口５から空気を吸引した場合、前記空気供給口４から吹き込まれた空気を吸引して、この吸引空気に随伴されることにより、噴射水や除去された固形物を回収することができるようになっている。
【００１６】
また、カバー３の先端部には作業に際して、対象物との接触時に摩耗を防止し、移動を容易にするための球状の緩衝材１８が複数個取付けてあり、さらに密着性を良好にして吸引効率を高めるため薄いゴムシート１６が外周に巻き付けてあり、固定バンド１７で着脱自在に固定されている。
【００１７】
本発明は以上の構成よりなっており、本発明の使用に際しては以下のように実施する。本発明の噴射水回収装置を装着した高圧水噴射ガン１を高圧水発生装置Ｂの高圧水取り出し口と高圧水噴射ガン１の高圧水取り入れ口７を高圧ホース８に接続する。また、圧縮空気発生装置Ｃと高圧水噴射ガンの空気取り入れ口９をエアホース１０で繋ぎ合わせる。また、カバー３にある空気吸引口５と吸引装置Ａを吸引ホース６で繋ぎ合わせる。
【００１８】
次に、高圧水発生装置Ｂ、圧縮空気発生装置Ｃ及び吸引装置Ａの運転を開始する。エアーモーターへの空気コック及びカバーへの空気供給コックを開き圧縮空気を供給し、ノズルヘッド１４を回転させる。また、吸引装置Ａも同時に吸引を開始する。次に高圧水発生装置Ａの起動スゥイッチを入れノズルチップ１３より高圧水を噴射させる。この状態で作業を実施する。もちろん作業条件が異なる場合、吸引風量または供給空気量を調整しながら、噴射水や除去物が充分回収できるように、最適な吸引風量に調整すれば好い。
【００１９】
この状態で作業する事により、カバー３を対象物に密着させても、カバー３の空気供給口４から、カバー３内部に空気が吸い込まれることにより、吸引装置で空気を吸引してもカバー３は対象物に吸着することなく、容易に移動することができる。もちろん、吸引された空気がカバー３内部を通過することにより、噴射された高圧水や除去された固形物も吸引された空気と一緒に吸引回収される。
【００２０】
これらの除去された固形物には塗料滓やコンクリート粉等、作業により発生した廃棄物も回収できるため、除去作業に際して周囲を汚したり、濡らしたりすることがない。そして、これらの吸引回収された水や飛散物は汚水槽に溜められた後で固液分離した後で処理される。
【００２１】
また、長時間の作業に際してカバー３が飛散物や対象物との接触により損傷した場合、固定具２のカバー３取り付け部に取付けてあるカバー３の固定ボルト、ナット外し、カバー３を新しい物に交換すれば好い。
【００２２】
また、本発明の噴射水回収装置は、全体として金属またはプラスチックで作られており、除去作業に伴う飛散物からの衝撃や摩耗に十分耐えられる構造となっている。特に、カバー３は飛散物の衝突等により、摩耗が激しいため、耐摩耗性を考慮した構造および材質で作られている。また、内部に耐摩耗性材料を貼るかコーティングしてもよい。
【００２３】
また、手持ち式高圧水噴射ガンでの作業を効率よく行わせるために装置の軽量化にも配慮された構造になっている。尚、本発明をエアー式回転ガンを例に説明したが、水圧等他の方法で回転するガンに取り付けてもよく、使用するガンの種類を何等限定するものではない。
【００２４】
【発明の効果】
本発明は、以上説明したように構成されているので、以下に記載されるような効果を奏する。
【００２５】
高圧水噴射ガンに本発明の噴射水回収装置を取り付けることにより、利用後の噴射水を回収して処理できることにより、周辺の環境を汚染することなく作業できる。
【００２６】
本装置の装着により、ノズルからの噴射による騒音を軽減できる。
【００２７】
構造が簡単で、作業に際して吸引減圧しても保護カバーが対象物に吸着しないため、より安定した作業が効率よくできると共に仕上がりに斑が無い。
【００２８】
構造が簡単で軽量化できるため操作しやすく足場上など不安定な場所でも安全な作業が行える。
【００２９】
構造が簡単で取り付け、取り外しが簡単に行えるため効率よく現場作業が行える。
【００３０】
圧縮空気を利用することにより、構造が簡単でより軽量化できる。
【００３１】
また、作業によって生じた有害な塗料滓やリサイクル可能なコンクリート粉等の回収ができるため作業現場での環境保持や資源有効利用ができる。
【図面の簡単な説明】
【図１】噴射水回収装置を高圧水噴射ガンに取り付けた全体図である。
【図２】本発明の実施例の断面詳細図である。
【符号の説明】
１　　高圧水噴射ガン
２　　固定具
３　　カバー
４　　空気供給口
５　　空気吸引口
６　　吸引ホース
７　　高圧水取り入れ口
８　　高圧ホース
９　　圧縮空気取り入れ口
１０　エアーホース
１１　ヘッダー
１２　エアー供給ホース
１３　ノズルチップ
１４　ノズルヘッド
１５　シャフト
１６　ゴムシート
１７　固定バンド
１８　緩衝材
１９　柔軟構造部
Ａ　　吸引装置
Ｂ　　高圧水発生装置
Ｃ　　圧縮空気発生装置
【図１】
2004114023.tif 000003
【図２】
2004114023.tif 000004